(57)【要約】      （修正有）【課題】照明装置とドアースイッチを一括して簡単に取付けることができるドアースイッチ付き照明ユニットと、ドアースイッチのストロークを簡単に調節することができるドアースイッチ用アダプタを提供する。【解決手段】扉の開閉によって作動するドアースイッチ４と、該ドアースイッチと電気的に接続された照明装置３が取付ベース本体２に一体に固定してユニット化されている。また、ドアースイッチ用アダプタ２６は、剛性を有する棒状体で形成され、軸方向に易切断可能な周方向罫線が所定間隔で形成されている。【選択図】図７
0003151359.tif 000002
【実用新案登録請求の範囲】
【請求項１】
扉の開閉によって作動するリミットスイッチからなるドアースイッチと、該ドアースイッチと電気的に接続された照明装置が取付ベース本体に一体に固定してユニット化されてなることを特徴とするドアースイッチ付き照明ユニット。
【請求項２】
前記取付ベース本体は、中央平板部と該中央平板部の頂端縁から直角に屈曲した構築体取付部からなり、前記中央平板部の背面に照明装置が取り付けられ、前面端部に前記ドアースイッチが取り付けられてなることを特徴とする請求項１に記載のドアースイッチ付き照明ユニット。
【請求項３】
請求項１又は２に記載のドアースイッチ付き照明ユニットの前記ドアースイッチの作動範囲ストロークを調整するためのドアースイッチ用アダプタであって、剛性を有する棒状体で形成され、その基端に前記ドアースイッチの押ボタンに嵌合する嵌合部を有し、軸方向にカッターナイフで切断可能な周方向罫線が所定間隔で形成されていることを特徴とするドアースイッチ用アダプタ。
【考案の詳細な説明】
【技術分野】
【０００１】
本考案は、ドアースイッチ付き照明ユニット、特にドアースイッチと照明が一体構造のドアースイッチ付き照明ユニットとドアースイッチの作動範囲ストロークを簡単に調整できるドアースイッチ用アダプタに関する。
【背景技術】
【０００２】
一般に自動制御盤、高低圧受電・配電盤あるいは計装盤等（以下、これらを建物の部屋も含めて構築体という）の筐体内部の照明は、ドアーを開くと自動的に電灯が点灯し、閉めると消灯する照明装置が設けられている。これら従来の照明装置は、扉の開閉を感知するセンサーとして光学的或いは磁気的センサー等も使用されているが、最も安価で保守点検も容易なセンサーとしてリミットスイッチからなるドアースイッチが広く用いられている。リミットスイッチの場合、直接扉の開閉によって作動するため扉が当接する位置に設ける必要があり、電灯が設置されている位置と離れて設置しなければならない。そのため、狭い計装盤等の内部にリミットスイッチと蛍光灯の設置及びそのための配線を別々に行なう必要があり、煩雑な作業を必要とする問題点がある。特に、計装盤等の筐体が複数の部屋に区切られたり、あるいは並列乃至は上下に多数に設けられている場合は、それだけ煩雑な作業が増え、計装盤等の設置に多大な作業負担増をもたらしている。
【０００３】
そのため、例えば特許文献１では、扉の開閉により作動する位置にリミットスイッチを固定し、且つ蛍光灯等の照明装置の光源に電力を供給するケーブルを巻き取る巻取り装置を特定の位置に固定し、そして照明装置に磁石を取付けて筐体の任意の箇所に照明装置を取り付け可能にすることによって、照明装置を移動できるようにしたものが提案されている。
【０００４】
一方、従来のリミットスイッチは、押ボタンの長さが予め特定されているため、ドアースイッチに採用した場合、設置場所からその押圧作動体である扉までの距離が変わればそれに応じて、ドアースイッチの設置位置も変更しなければならない、或いはその作動範囲のストロークを有するリミットスイッチに交換しなければならないという問題点があった。
【先行技術文献】
【特許文献】
【０００５】
【特許文献１】特開平９−２１５１２４号公報
【考案の概要】
【考案が解決しようとする課題】
【０００６】
しかしながら、上記特許文献１で提案されたものは、磁石を利用して蛍光灯を任意の場所に簡単に取り付けることができる点では複雑な取付作業を解消することが出来ても、コードの巻取り装置と余分な長さのケーブルを必要とし、且つケーブル巻取り装置と照明装置との間に距離がある場合、ケーブルが邪魔になり計装盤等の点検作業の邪魔になるという不都合が生じる。さらに、蛍光灯等の照明装置を磁石で脱着自在に取付けるので、不安定であり且つ取り扱いが煩雑になる欠点がある。
【０００７】
そこで本考案は、上記実情に鑑み創案されたものであって、計装盤等の狭い筐体内部に限らず部屋内の照明等、扉の開閉によって点灯又は消灯する照明装置として、照明装置とドアースイッチの取付け、及びそれら間の配線作業等の個別の煩雑な作業を必要とすることなく、電源ケーブルのみの配置で一括して簡単に取付けることができ、且つ省スペースで狭い筐体であっても配線等が邪魔になることなく効率よく取付けることができるドアースイッチ付き照明ユニットを提供することを第１の目的とし、且つリミットスイッチと扉との当接位置が変化してもリミットスイッチの位置を動かすことなく、簡単に作動範囲ストロークを調節することができるドアースイッチ付き照明ユニット用のドアースイッチ用アダプタを提供することを第２の目的とする。
【課題を解決するための手段】
【０００８】
上記課題を解決する本考案のドアースイッチ付き照明ユニットは、扉の開閉によって作動するリミットスイッチからなるドアースイッチと、該ドアースイッチと電気的に接続された照明装置が取付ベース本体に一体に固定してユニット化されてなることを特徴とするものである。前記取付ベース本体は、中央平板部と該中央平板部の頂端縁から直角に屈曲した構築体取付部からなり、前記中央平板部の背面に照明装置が取り付けられ、前面端部に前記ドアースイッチが取り付けられてなることによって、よりシンプルに構成することができる。
【０００９】
また、上記第２の目的を達成する本発明のドアースイッチ用アダプタは、請求項１又は２に記載のドアースイッチ付き照明ユニットの前記ドアースイッチの作動範囲ストロークを調整するためのドアースイッチ用アダプタであって、剛性を有する棒状体で形成され、その基端に前記ドアースイッチの押ボタンに嵌合する嵌合部を有し、軸方向にカッターナイフで切断可能な周方向罫線が所定間隔で形成されていることを特徴とするものである。
【考案の効果】
【００１０】
本考案のドアースイッチ付き照明ユニットは、照明装置とドアースイッチが取り付けベース本体に固定してユニット化されているので、コンパクトであり、省スペースを図ることができる。そして、構築体内にドアースイッチで点灯・消灯する照明装置を設置する場合、照明装置とドアースイッチを別々に取付け、且つ配線する従来の煩雑な作業を省くことができて、取付ベース本体を取付け、電源に接続するだけで簡単に設置することができて取付け作業の大幅な短縮を図ることができると共に、構築体内にドアースイッチと照明装置間の配線をする必要がないので、配線が邪魔になることなく整然化できる。
【００１１】
また、本発明のドアースイッチ用アダプタによれば、ドアースイッチの設置位置からドアースイッチまでの距離が変わっても、ドアースイッチの設置位置あるいはリミットスイッチ自体を交換する必要がなく、単に作動ストロークの変更に応じて押ボタン装着用アダプタを罫線から切断して、押ボタンの軸の嵌合することによって、容易にそのストロークを調整できる。
【図面の簡単な説明】
【００１２】
【図１】本発明の実施形態に係るドアースイッチ付き照明ユニットの取付状態を示す側面図である。
【図２】本発明の実施形態に係るドアースイッチ付き照明ユニットの正面図である。
【図３】その背面図である。
【図４】その底面図である。
【図５】その取付ベースを示し、（ａ）は正面図、（ｂ）は側面図（ｃ）は平面図である。
【図６】（ａ）はストローク調整アダプタの正面図、（ｂ）はその緩衝用キャップの正面図である。
【図７】ストローク調整アダプタを装着してストロークを調整した状態のドアースイッチ付き照明ユニットの取付け状態を示す側面図である。
【考案を実施するための形態】
【００１３】
以下、本考案に係るドアースイッチ付き照明ユニットの実施形態を図面を基に詳細に説明する。
本考案に係るドアースイッチ付き照明ユニット１は、その基本構造が取付ベース本体２、照明装置３及びリミットスイッチからなるドアースイッチ４から構成されている。取付ベース本体２は、図５（ｂ）に示すように断面が鉤形をしたアングル材で構成され、ケーブルラックを兼用することも可能である。取付ベース本体２の具体的構造は、正面の幅広の中央平板部１０、その下端縁から背面方向に直角に屈曲した幅狭の照明装置支持部１１、中央平板部１０の上端から前面に直角に屈曲して伸びる構造体へ固定するための構造体取付部１２からなっている。構造体取付部１２にはドアースイッチ付き照明ユニットを計装盤等の筐体の天井桁等に固定するための取り付けネジを挿通するための長孔１４が形成され、中央平板部１０には照明装置を固定するためのネジ穴１５及びドアースイッチ取付用金具を固定するためのネジ穴２３が適宜形成されている。なお、本実施形態では、中央平板部１０の下端に照明装置支持部１１および構築体取付部１２の先端に屈曲部を設けてあるが必ずしもそれは設けなくてもよい。
【００１４】
以上のような取付ベース本体２の中央平板部の背面に、照明装置をその下端面角部を照明装置支持部１１に支持させ、ネジ穴１５を介して取付固定する。照明装置３は、図３及び図４に明示するように、本実施形態では、蛍光灯１６と蛍光灯本体１７からなる蛍光灯装置で構成され、蛍光灯本体１７には電源部及び制御部が格納されている。なお、図中１８は周波数切替スイッチであり、５０Ｈｚと６０Ｈｚに使用地域に応じて適用周波数が切替られるようになっており、レバーロック形スイッチで構成されている。１９はグロースタータであるグロー放電ランプである。２０は電源接続用端子であり、端子台２１を介して中央平板部１０に固定されている。本実施形態では、照明装置として、直管蛍光灯を採用しているが、必ずしもそれに限らず、球形蛍光灯や白熱電球等適宜のランプが採用可能である。
【００１５】
ドアースイッチ４は、本実施形態では、図１及び図２に明示するように、取付ベース本体２の中央平板部１０の右側下端部に押ボタン２５が中央平板部から前方に直角に伸びるように、Ｌ字型の取付金具２２を介して固定されている。ドアースイッチ４は、構築体の扉を閉めた状態ではその押ボタンが押圧されて、スイッチがＯＦＦ状態になり、開いた状態では押ボタンが突出してＯＮ状態となって、照明装置が点灯するような構造となっており、公知のリミットスイッチが採用可能である。しかしながら、従来のリミットスイッチの押ボタン２５は、一定長さに形成され、その取付位置に応じて押ボタンの長さを自由に調節することはできず、予め設定したストローク長さでしか作動しない。そのため、例えばドアースイッチの取付位置と該ドアースイッチを作動させる被作動体（本実施形態の場合は扉３３）との間隔が変更になった場合は、ドアースイッチの取付位置を調節するか、或いはその間隔の長さに適用可能な長さの押ボタンを有するドアースイッチに取り替えなければならなかった。
【００１６】
そのため、本考案では、構築体の扉とドアースイッチの押ボタンの間隔が相違しても、ドアースイッチの取付位置や異なる長さの押ボタンを有するドアースイッチに交換しなくても簡単に調整できる押ボタン装着用アダプタ２６を備えている。押ボタン装着用アダプタ２６は、図６に示すように、アルミニウムパイプやＡＢＳ樹脂等剛性を有する樹脂パイプで形成され、一方の端部にドアースイッチの押ボタンの軸端に嵌合する嵌合部２７を有し、適宜長さ（本実施形態では２１５ｍｍ以内）で形成され、例えば５ｍｍ間隔でカッターナイフ等で簡単に切断できるように罫線２８が施されている。従って、例えば図７に示すように、押ボタンが扉３３に届かない間隔にある場合は、その間隔に相当する長さに押ボタン装着用アダプタ２６を罫線から切断して、押ボタンの軸の嵌合することによって、容易にそのストロークを調整できるのである。なお、図中２９は、軟質の合成樹脂で形成された緩衝用キャップであり、先端が閉じた中空パイプに形成され、押ボタン装着用アダプタの先端に自由に差し込むことができるようになっている。従って、切断した押ボタン装着用アダプタの先端に図７に示すように嵌合することによって、押ボタン装着用アダプタ先端が扉に当たるのを緩衝して、扉を疵つけるのを防止している。
【００１７】
本実施形態のドアースイッチ付き照明ユニットは、以上の構成からなり、照明装置３とドアースイッチ４を取付ベース本体２に一体に取付けてユニット化され、取付ベース本体２を構築体に固定ネジで取り付けるのみで簡単に装着できる。そして、ドアースイッチ４と照明装置は近距離に一体に取り付けてあるので、ドアースイッチと照明装置を接続するケーブル３０も図１に示すようにごく短小であり、外部に露出する部分が僅かであり配線が構築体内で邪魔になることがない。しかも、配線は予めユニット化して設定されているので、現場では単に電源配線のみが必要でドアースイッチと照明装置間の配線作業等は必要なく、取り付けが非常に簡単で従来と比べて設置作業を大幅に短縮することができる。本実施形態のドアースイッチ付き照明ユニット１の構築体への取付は、例えば図１に示すように、構築体３１の天板や梁等に取付ベース本体２の構築体取付部１２を介して取付ネジ３２により、ドアースイッチの押圧ボタン２５の先端が扉３３を開閉によって作動できる位置に位置合わせして固定するのみで容易に取り付けることができる。
【００１８】
また、ドアースイッチ付き照明ユニットの取付位置が構築体の構造の制限で押ボタンが扉に当接する位置に取付けることができない場合は、押ボタンの先端に押ボタン装着用アダプタを相当する長さに切断して装着することによって、例えば図７に示すように取り付け位置を容易に調節することができる。
【産業上の利用可能性】
【００１９】
本考案のドアースイッチ付き照明ユニットは、ドアースイッチ、照明装置及び取付ベース本体が一体にユニット化されているので、コンパクトであり計装盤等の狭い内部の筐体内部にも簡単に取り付けることができ、照明装置の取り付け作業を大幅に短縮化できると共に省スペースを図ることができ、また本考案のドアースイッチ用アダプタによれば、ドアースイッチの作動ストロークを容易に調節できるので、計装盤等に限らず広くドアースイッチとして利用可能であり、産業上の利用可能性が高い。
【符号の説明】
【００２０】
１  ドアースイッチ付き照明ユニット
２  取付ベース本体
３  照明装置
４  ドアースイッチ
１０  中央平板部
１１  照明装置支持部
１２  構築体取付部
１３、３２  取付ネジ
１４  長穴
１５、２３  ネジ穴
１６  蛍光灯
１７  蛍光灯本体
１８  周波数切替スイッチ
１９  グロー放電ランプ
２０  電源接続用端子
２１  端子台
２２  取付金具
２５  押ボタン
２６  押ボタン装着用アダプタ
２７  嵌合部
２８  罫線
２９  緩衝用キャップ
３０  ケーブル
３１  構築体
【図１】
0003151359.tif 000003
【図２】
0003151359.tif 000004
【図３】
0003151359.tif 000005
【図４】
0003151359.tif 000006
【図５】
0003151359.tif 000007
【図６】
0003151359.tif 000008
【図７】
0003151359.tif 000009